(57)【要約】【課題】従来は、シャッターを設けて必要に応じて情報を隠蔽することが開示されているが、液晶ディスプレイと身分証明書とを接着してしまう形状のカードを収納するための構成であるから、そのような構成ではない通常のカードを入れ換えて収納することはできないという問題があった。【解決手段】本発明は、カード自体には何らの細工をすることなく、自由に出し入れできる表示手段付きのカード収納体であり、カード４を収納した状態でカード４の一部と平面的に重なるところに表示手段を設けている。カード収納体３と衣類などの他の物体とを固定するための固定手段１１を設け、この固定手段１１からの信号に基づいて表示手段５の表示情報を切り換える。このようにすることによって、第三者がカード４に表記されている情報を閲覧することを防止する。【選択図】図１
2007080031.tif 000002
【特許請求の範囲】
【請求項１】
カード状の物体を収納する手段を有するカード収納体において、
透明または半透明の閲覧領域を有し、該閲覧領域を通して前記カード状の物体の一部が閲覧可能であり、
前記閲覧領域の一部には、表示手段を有し、
前記表示手段は、表示情報を表示可能であるとともに透過状態となり前記カード状の物体の一部を透過して閲覧可能であり、
入力する切換信号を受信する受信手段を有し、
前記受信手段の情報に基づいて前記表示手段に表示する前記表示情報を変更することを特徴とするカード収納体。
【請求項２】
前記表示手段に表示する前記表示情報を入力する表示情報入力手段と、
前記表示情報を格納する表示情報記憶手段とを備え、前記切換信号に基づいて前記表示情報記憶手段から前記表示情報を読み出して前記表示手段に表示させることを特徴とする請求項１に記載のカード収納体。
【請求項３】
前記受信手段は、無線信号または有線で接続する信号線を伝搬する信号を受信することを特徴とする請求項１または２に記載のカード収納体。
【請求項４】
前記カード収納体を他の物体に固定する固定手段を備え、
前記固定手段は、係止手段と紐状手段と調整手段とを有し、
前記紐状手段は、一端を前記係止手段に接続し、他端を前記カード収納体に接続し、
前記調整手段は、前記係止手段と前記カード収納体との間に設け、前記紐状手段の長さを調整することを特徴とする請求項１から３のいずれか1つに記載のカード収納体。
【請求項５】
前記調整手段または前記係止手段は、検出手段と切換信号出力手段とを有し、
前記検出手段は、前記紐状手段にかかる張りを検出し、
前記切換信号出力手段は、前記検出手段の情報から前記切換信号を出力することを特徴とする請求項１から４のいずれか１つに記載のカード収納体。
【発明の詳細な説明】
【技術分野】
【０００１】
本発明は、ＩＣカードやクレジットカード等のカード状の物体を収納するカード収納体に関するものである。詳しくは、画像や文字や模様などの表示ができる表示手段を有するカード収納体に関する。
【背景技術】
【０００２】
クレジットカードや銀行カードなどのカード状の物体は広く生活に浸透している。近年では、これらのカード状の物体に半導体チップやアンテナを搭載し、情報の保存や書き換え、通信が可能なＩＣカードも用いられるようになってきた。また、身分証明書や社員証などにもこれらの機能を備えるようになってきた。これらのカード状の物体を以後は単にカードと称する。
【０００３】
カード自体は大変薄く軽いものが多く、これらカードを所持するには外部の影響から保護する必要がある。外部の影響とは、外部からの押圧力や曲げ力などの機械的な力や静電気ノイズや電磁波などの電気的な影響などである。もちろん、カードに付着する汚れなどもそれに含まれる。カードの汚れは、その水分などによりカードの機能に影響を与えてしまうことがある。言うまでもないが、このような汚れは、カードの見栄も悪くする。
【０００４】
このような外部の影響からカードを保護する方法は、多くの提案をみるものである。例えば、カードケースである。カードケースには、その内部に金属箔などを配設して収納したカードを電気的に遮蔽するものも知られている。
カードケースにカードを収納してしまえば、このような外部の影響が直接カードに伝達することはない。
【０００５】
また、カードには、使用者の特定情報、例えば、氏名や住所や所属する団体名等が記載されることがある。会員証や身分証明書などにおいては、社員番号や所定のコード番号、使用者本人の顔写真などが表記されている場合もある。
しかし近年では、このようなカードから個人情報が流出するという問題がある。例えば、カードの使用者が知らぬ間に、カードに記載されている使用者の特定情報を読み取られ、その特定情報から個人情報を抽出してしまうというものである。また、カードがＩＣカードのような電子式のカードの場合は、電気的にカード内部に記憶している情報を読み出されることがある。
いずれの場合においても、悪意のある第三者がカードの使用者に無断でカードに接することが発端となる。このように、カードのセキュリティを向上させる必要性は広く知られるところである。
【０００６】
カードのセキュリティを向上させる方法は、多くの提案をみるものである。カード収納体に設けた表示手段によって、収納されているカードに表記されている情報を隠蔽するものも知られている（例えば、特許文献１参照。）。
【０００７】
特許文献１に示した従来技術は、電子式身分証明書に関するものであって、シャッターとして機能する液晶ディスプレイを有しており、液晶ディスプレイと印刷物とを接着しておき、身分証明書の偽造を防止するものである。
【０００８】
特許文献１に示した従来技術を図を用いて説明する。図５は、特許文献１に示した従来技術を説明しやすいようにその主旨を逸脱しないように書き直した図である。
図５において、２０は液晶ディスプレイ、２１は表示部、２２はシャッター部、２３は
印刷物、２４はバックライト、２５は駆動回路、２６は偏光板、２７は電子式身分証明書本体、２８はホルダである。図５（Ａ）は、電子式身分証明書本体２７の構成を示している。図５（Ｂ）は、この電子式身分証明書本体２７をホルダ２８に収納する様子を示している。
【０００９】
特許文献１に示した従来技術の電子式身分証明書本体２７は、顔写真を表示する表示部２１とシャッターとして機能するシャッター部２２とを有する液晶ディスプレイ２０と、この液晶ディスプレイ２０の裏面に粘着され、シャッター部２２に対応する位置に所定の情報が印刷された印刷物２３と、液晶ディスプレイ２０を駆動する駆動回路２５とを具備している。なお、バックライト２４は表示部２１を照明するものである。
ホルダ２８は、この電子式身分証明書本体２７を格納するとともに、この電子式身分証明書本体２７が取り出されたとき、この電子式身分証明書本体２７に対して駆動回路２５に液晶ディスプレイ２０を駆動する所定の信号を付与する。
このような構成とすることによって、電子式身分証明書本体２７がホルダ２８から取り出されたときにシャッター部２２を介して印刷物２３に記載してある所定の情報を表示するのである。
【００１０】
特許文献１に示した従来技術は、液晶ディスプレイ２０上に顔写真を表示する表示部２１があるので、顔写真の張り替えはできなく、また、印刷物２３に記載されている所定の情報を書き換えるために液晶ディスプレイ２０を剥がすと液晶ディスプレイ２０が破損するので、偽造が困難である。
さらに、ホルダ２８がなければ、電子式身分証明書本体２７が駆動しない。すなわち、顔写真も表示されなければ、シャッター部２２も開かないので、記載されている内容を知ることができないという利点があった。
【００１１】
【特許文献１】特開平５−２５４２８０（第２頁、第１図）
【発明の開示】
【発明が解決しようとする課題】
【００１２】
特許文献１に示した従来技術は、シャッターを設けて必要に応じて情報を隠蔽することが開示されているが、液晶ディスプレイと身分証明書とを接着してしまう形状のカードを収納するための構成であるから、そのような構成ではない通常のカードを入れ換えてホルダに収納することはできないという問題があった。
【００１３】
先にも述べた通り、カードは、広く生活に浸透している。クレジットカードや銀行カード、身分証明証や社員証などを個人でカードを複数持つこともめずらしくない。このようなカードは、一様に外部からの影響から保護する必要がある。このような要求に対しては、カードの数だけカード収納体を用意するか、1つのカード収納体に複数のカードを入れ換えて収納するかのどちらを行って保護する必要があるが、いずれの場合においても特殊なカードにしか対応できないカード収納体では、そもそも多くのカードに対応することはできない。
【００１４】
本発明の目的は、上記課題を解決しようとするもので、カード自体には何らの細工をすることなく、自由に出し入れできる表示手段付きのカード収納体であって、必要に応じてカードに係る情報を変更することができる機能を有するカード収納体を提供することにある。
【課題を解決するための手段】
【００１５】
上記課題を解決するために、本発明では以下の構成を採用する。
【００１６】
カード状の物体を収納する手段を有するカード収納体において、
透明または半透明の閲覧領域を有し、閲覧領域を通してカード状の物体の一部が閲覧可能であり、閲覧領域の一部には、表示手段を有し、表示手段は、表示情報を表示可能であるとともに透過状態となりカード状の物体の一部を透過して閲覧可能であり、入力する切換信号を受信する受信手段を有し、受信手段の情報に基づいて表示手段に表示する表示情報を変更することを特徴とする。
【００１７】
表示手段に表示する表示情報を入力する表示情報入力手段と、表示情報を格納する表示情報記憶手段とを備え、切換信号に基づいて表示情報記憶手段から表示情報を読み出して表示手段に表示させることを特徴とする。
【００１８】
受信手段は、無線信号または有線で接続する信号線を伝搬する信号を受信することを特徴とする。
【００１９】
カード収納体を他の物体に固定する固定手段を備え、固定手段は、係止手段と紐状手段と調整手段とを有し、紐状手段は、一端を係止手段に接続し、他端をカード収納体に接続し、調整手段は、係止手段とカード収納体との間に設け、紐状手段の長さを調整することを特徴とする。
【００２０】
調整手段または係止手段は、検出手段と切換信号出力手段とを有し、検出手段は、紐状手段にかかる張りを検出し、切換信号出力手段は、検出手段の情報から切換信号を出力することを特徴とする。
【発明の効果】
【００２１】
本発明のカード収納体は係止手段と紐状手段と閲覧領域およびその一部に表示手段を有しており、係止手段または紐状手段からの情報により表示手段は、そのときの表示状態を切り換えることができる。例えば、表示手段が透明状態となっている場合は、文字や画像や模様などを表示する表示状態に切り換えてカード収納体に収納しているカード情報を閲覧できないようにすることができる。
このように、カード情報を閲覧が可能な状態と禁止状態とに切り換えることができ、カード情報が意図しない第三者に閲覧されてしまうことはないという効果がある。
本発明のカード収納体に収納するカードが、特に個人情報を有するような重要なカードであった場合でも、プライバシーを守ることができる。
【発明を実施するための最良の形態】
【００２２】
以下、本発明の実施形態を図面に基づいて具体的に説明する。
【実施例１】
【００２３】
図１は本発明のカード収納体を説明する図である。図１において、１は係止手段、２は紐状手段、３はカード収納体、４はカード、５は表示手段、６は閲覧領域、９ａは切換信号、１０は受信手段、１０ａはトリガー信号、１１は固定手段、１２は調整手段である。図１では、カード４をカード収納体３に収納しようとする様子を示している。
【００２４】
［全体構成の説明：図１］
カード収納体３には、透明または半透明の材質で構成している閲覧領域６が設けてある。カード４をカード収納体３に収納すると、この閲覧領域６を通してカード４を見ることができる。カード４がクレジットカードや銀行カードであった場合は、カード４の表面には会社名や番号が表記されており、身分証明書などの場合には、使用者が所属する団体名や使用者の顔写真が表記されている。
したがって、カード４をカード収納体３に収納し外部の影響から保護している場合であ
っても、このようなカード４特有の模様や番号を閲覧領域６を通して閲覧することができる。使用者は、カード４を収納していてもどのカードが収納されているか一目瞭然である。
【００２５】
閲覧領域６の一部には表示手段５を設けてある。表示手段５は、文字や画像などの表示情報を表示できるとともに透明状態や塗りつぶし状態にすることができる。例えば、液晶表示装置を用いることができる。
表示手段５は、カード４をカード収納体３に収納した状態で平面的にカード４と重なる位置に設けてある。表示手段５は、シャッターとして機能させることができる。つまり、幾何学模様や白や黒の色を表示することで、収納しているカード４の少なくとも一部を隠蔽することができる。
【００２６】
このように、本発明のカード収納体３は、収納しているカード４に表記されている情報を第三者に知られたくない場合においても、すぐさま表示手段５の表示によって隠蔽することができる。
社員証や学生証などの身分証明書をカード４としてカード収納体３に収納し、これを携帯している場合をもって説明する。社内や学校内においては、表示手段５を透明状態にしておくことで閲覧領域６を通してカード４の情報を使用者もその他の同僚や同輩が知り得ることができる。カード４の情報とは、社員番号や所属部門名、学籍番号や連絡先などである。
使用者が社外や学校外に出た場合においては、このようなカード４の情報は、第三者の目に触れる状態にはしておきたくない。そのときに、表示手段５の表示情報（この場合は透明な状態）を他の表示情報、例えば、絵や文字や幾何学模様、白や黒での塗りつぶし状態などに変更するのである。
【００２７】
このようにすることによって、カード４に表記されている情報は、使用者に無断で閲覧することはできなくなる。もちろん、第三者に対して正当にカード４の情報を知らせたい場合、例えば、使用者が再び社内や学校内に戻った場合や正当に身分を証明するものの提示を求められた場合などは、表示手段５の表示情報を再び透明にするか、カード４を排出して使用者が手に取り提示すればよいのである。
したがって、本発明のカード収納体３を用いると、収納し外部の影響から保護しているカードを任意で閲覧と閲覧禁止とにすることができるため、セキュリティを大幅に向上させることができるのである。
【００２８】
次に、表示手段５の表示情報を切り換えることについて説明する。表示手段５に表示している絵や画像や文字列などの表示情報を切り換えるのは、図示しないがスイッチやボタンなどの操作で行うことができる。使用者は、このスイッチやボタンなどを操作することですぐさま表示手段５の表示を切り換えることができる。
【００２９】
また、表示手段５に表示している表示情報を切り換えることは、電気信号で行うこともできる。
カード収納体３には受信手段１０を設けている。受信手段１０は、有線または無線を用いて切換信号９ａを受信する。受信した切換信号９ａに基づいて、受信手段１０は、トリガー信号１０ａを出力する。このトリガー信号１０ａは、表示手段５に入力され、表示手段５はこのトリガー信号１０ａを受信すると、そのとき表示している表示情報を切り換えるのである。切換信号９ａについては、固定手段１１から得るものであるが、それについては後述する。
【００３０】
固定手段１１は、本発明のカード収納体３を他の物体、例えば、衣服などに固定するためのものである。
固定手段１１は、係止手段１と紐状手段２と調整手段１２とを有している。調整手段１２は、係止手段１とカード収納体３との間を繋ぐ紐状手段２との間に設けている。係止手段１は、例えば、クリップ状の固定具である。紐状手段２は、例えば、ストラップのような紐であり、多少の伸縮性を持っていてもかまわない。
係止手段１を衣服などに固定することで、カード収納体３を衣服のポケットなどに入れておいても落下することはない。
また、係止手段１を紐状手段２と固定すると、固定手段１１は、環状になり、カード収納体３を首などにかけて携帯することができる。ポケットのない衣服の場合に有効である。
調整手段１２は、紐状手段２の長さを調整することができる。調整手段１２の構成については、後述する。
【００３１】
［調整手段の説明：図２］
図２は、本発明のカード収納体３を構成する固定手段１１の調整手段１２を説明するための模式図である。図２において、８は検出手段、９は切換信号出力手段、７は巻き取り手段である。
【００３２】
巻き取り手段７は、係止手段１とカード収納体３との間の紐状手段２を巻き取ることで、その長さを調整するものである。図示はしないが、付勢力を有するドラム状の部材に紐状手段２を巻きつけることによってその長さを調整する。このような機構は、既に知られているので説明を省略する。
【００３３】
検出手段８は、巻き取り手段７における紐状手段２の巻き取り具合を検出するものであって、例えば、紐状手段２の張り具合（テンションの掛かり具合）や巻き取り回転数をもって検出する。例えば、紐状手段２を巻きつけるドラム状の部材にロータリーエンコーダを設け、その回転数から検出してもよい。また、紐状手段２に一定間隔でマーキングを施し、そのマークを読みっても構わない。
検出手段８は、紐状手段２の巻き取り具合を巻き取り信号８ａとして検出する。
【００３４】
切換信号出力手段９は、検出手段８が巻き取り信号８ａを受信すると、切換信号９ａを出力する。この切換信号９ａは有線または無線によって、図１に示すカード収納体３の受信手段１０に伝達される。切換信号９ａを有線でカード収納体３に伝達する場合は、紐状手段２の内部に導電性配線を設けて受信手段１０と接続してもよい。
カード収納体３は、すでに説明した通り、この切換信号９ａを利用して表示手段５の表示情報を変更する。
【００３５】
このように、本発明のカード収納体３は、紐状手段２を引くだけですぐさま表示手段５の表示情報を変更することができる。例えば、本発明のカード収納体３を携帯していて、カード４に表記されている情報を第三者に閲覧させたくないときに、紐状手段２を引けばよいのである。
【００３６】
［係止手段の説明：図３］
本発明のカード収納体３は、固定手段１１からの切換信号９ａをもって、表示手段５の表示を変更する。切換信号９ａの生成は、切換信号出力手段９によりなされるが、切換信号出力手段９は、調整手段１２にのみ設けることを限定しているものではない。
【００３７】
図３は、本発明のカード収納体３を構成する固定手段１１の係止手段１を説明するための模式図であって、紐状手段２の張り具合を検出する検出手段８と切換信号出力手段９とを係止手段１に設ける例を説明するものである。図３（Ａ）は、係止手段１の全体を示す図であって、図３（Ｂ）は、その内部の検出手段８の構成を説明する図である。
【００３８】
図３において、８は検出手段、８ｂは接触信号、９は切換信号出力手段、１３は弾性手段、１４は第１の接点、１５は第２の接点である。
図３（Ａ）に示すように、係止手段１はクリップ状の固定具とすることで、衣服などに固定することができる。図３（Ｂ）に示すように、紐状手段２に第１の接点１４が接続しており、弾性手段１３で第２の接点１５とは付勢力をもって離間している。
【００３９】
紐状手段２に強い引き力が加わった場合、その力が弾性力を上回ると第１の接点１４と第２の接点１５とが接する。これら接点を導電性の物質で構成することで、接点同士が電気的に導通する。
この接点の導通をもって検出手段８は、接触信号８ｂを出力し、切換信号出力手段９は、この接触信号８ｂを受信すると、切換信号９ａを出力する。この切換信号９ａは有線または無線によって、図１に示すカード収納体３の受信手段１０に伝達される。
【００４０】
このように、本発明のカード収納体３は、使用者が意図せずに強く引っ張られた場合などに、すぐさま表示手段５に表示している表示情報を変更することができる。このような場合は、例えば、悪意のある第三者がカード収納体３または固定手段１１の一部を掴み、強引に閲覧しようとした場合などを想定している。
【００４１】
本発明のカード収納体３は、カード４を収納し、外部の影響から保護することができる。カード収納体３には表示手段５を有しており、この表示手段５は、例えば、メモリー性を有する強誘電性液晶を用いた液晶表示装置とすることができる。
このような液晶表示装置は、表示している絵や文字列などの表示情報を保持することができるため、電源を切ってもその表示状態を維持することができる。したがって、所定の絵や文字列などを長期間に渡り表示してもそれに係る電力は全く必要とせず、極めて低消費電力となっている。
【実施例２】
【００４２】
本発明のカード収納体３は、閲覧領域６を通してカード４の情報を読み取ることができる。使用者は、カード収納体３にどのようなカード４が収納されているかをカード４を排出することなく知り得ることができる。
この状況は、カード４に記載している情報を読み取ろうとする第三者にとっても同じであるが、表示手段５の表示情報を変更することでそれを阻止できる。
表示手段５の表示情報は、使用者が任意で決めることもできる。図４は本発明のカード収納体３に表示情報入力手段１６と表示情報記憶手段１７とを設ける例を説明する図である。
【００４３】
表示情報入力手段１６は、ボタンまたはキーボードのようなスイッチ手段１８とインターフェース手段１９とを有している。
インターフェース手段１９は、メモリカードスロットもしくは外部の機器との専用接続コネクタ、ＵＳＢ（Ｕｎｉｖｅｒｓａｌ  Ｓｅｒｉａｌ  Ｂｕｓ）コネクタなどで構成している。
外部の機器、例えば、パーソナルコンピュータによって予め所望の文字列や画像を作成しておく。作成したこれら表示情報は、インターフェース手段１９を介してカード収納体３に取り込むのである。
もちろん、スイッチ手段１８を用いて任意の文字列を入力することも可能である。この場合は、１つのスイッチやボタンに複数の文字列を割り当てておけばスイッチ手段１８を構成するスイッチやボタンの数を減らすことができる。１つのスイッチやボタンに割り当てている文字列を切り換えることで文字を入力する方法は、すでに知られている技術であるので、説明は省略する。
【００４４】
表示情報記憶手段１７は、表示情報入力手段１６より入力された表示情報を保存しておくものであって、例えば、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）やＦｌａｓｈ  Ｍｅｍｏｒｙ（フラッシュメモリ）などの電気的書き換え可能な不揮発性記憶素子で構成している。
【００４５】
このように、カード収納体３に任意の表示情報を記憶しておくことで、この記憶している任意の表示情報と、そのときに表示手段５に表示している表示情報とを切り換えることができる。
【００４６】
以上説明した本発明のカード収納体３の表示手段５の切り換えは、検出手段８からの信号によって切換信号出力手段９が切換信号９ａを出力することでなされるが、この切換信号９ａをパルスとしてカウントし、その回数に応じて処理を行うこともできる。例えば、切換信号９ａが奇数回入力した場合に表示手段５の表示情報を変更し、偶数回入力した場合は、元に戻すのである。
【００４７】
以上説明した本発明のカード収納体３については、電源手段や配線などは省略して説明した。本発明のカード収納体３の表示手段５は、メモリー性の液晶表示装置を用いることができる。すでに説明した通り、この液晶表示装置は表示状態を保持できるので、表示に係る電力は極めて少ない。したがって、搭載する電源手段も極めて小さいものにすることができる。例えば、非常に小さなボタン型電池などである。
また、収納するカード４が電子式カードであった場合は、カード収納体３は、カード４から電力の供給を受けることもできる。その場合は、２次電池のような蓄電手段を用いることもできる。このような２次電池も、ボタン型などの小型のものが知られている。
【産業上の利用可能性】
【００４８】
本発明のカード収納体は、カードを収納したままで、カード情報が閲覧可能であり、また、任意の信号により閲覧を不可能にすることもできるので、カードケースに適用することができる。特に、複数のカードを入れ換えて保護するカードケースに好適である。
【図面の簡単な説明】
【００４９】
【図１】本発明のカード収納体を説明する全体図である。
【図２】本発明のカード収納体の調整手段を説明する図である。
【図３】本発明のカード収納体の係止手段を説明する図である。
【図４】本発明のカード収納体を説明する図である。
【図５】従来技術を説明する図である。
【符号の説明】
【００５０】
１  係止手段
２  紐状手段
３  カード収納体
４  カード
５  表示手段
６  閲覧領域
７  巻き取り手段
８  検出手段
８ａ  巻き取り信号
８ｂ  接触信号
９  切換信号出力手段
９ａ  切換信号
１０  受信手段
１０ａ  トリガー信号
１１  固定手段
１２  調整手段
１３  弾性手段
１４  第１の接点
１５  第２の接点
１６  表示情報入力手段
１７  表示情報記憶手段
１８  スイッチ手段
１９  インターフェース手段
【図１】
2007080031.tif 000003
【図２】
2007080031.tif 000004
【図３】
2007080031.tif 000005
【図４】
2007080031.tif 000006
【図５】
2007080031.tif 000007